(57)【要約】【課題】ＥＰＣｇｌｏｂａｌ規格に準拠し、且つ、一の取引を処理単位として取り扱うことが可能な情報処理システム及び情報処理装置を提供する。【解決手段】商品に付加されたＲＦＩＤタグから当該商品に関する商品情報を読み取る読取手段と、指示入力を受け付ける受付手段と、前記受付手段により一の取引の完了を指示する確定指示の入力が受け付けられると、当該確定指示の入力までに前記読取手段で読み取られた前記商品情報のリストと、この確定指示の入力時刻を表す時刻情報とを関連付けたリストデータを生成するリスト生成手段と、前記リストデータに含まれる前記商品情報の各々から所定のデータ項目を収集し、このリストデータに含まれる時刻情報と関連付けたレポートデータを生成するレポート生成手段を備える。【選択図】図５
2010224719.tif 000002
【特許請求の範囲】
【請求項１】
商品に付加されたＲＦＩＤタグから当該商品に関する商品情報を読み取る読取手段と、
指示入力を受け付ける受付手段と、
前記受付手段により一の取引の完了を指示する確定指示の入力が受け付けられると、当該確定指示の入力までに前記読取手段で読み取られた前記商品情報のリストと、この確定指示の入力時刻を表す時刻情報とを関連付けたリストデータを生成するリスト生成手段と、
前記リストデータに含まれる前記商品情報の各々から所定のデータ項目を収集し、このリストデータに含まれる時刻情報と関連付けたレポートデータを生成するレポート生成手段と、
を備え、
前記リスト生成手段は、前記確定指示の入力前に、前記受付手段により特定の商品情報の削除を指示する削除指示の入力が受け付けられると、当該削除指示により削除が指示された商品情報を前記リストから除外することを特徴とする情報処理システム。
【請求項２】
商品に付加されたＲＦＩＤタグから当該商品に関する商品情報を読み取る読取手段と、
指示入力を受け付ける受付手段と、
前記受付手段により一の取引の完了を指示する確定指示の入力が受け付けられると、当該確定指示の入力までに前記読取手段で読み取られた前記商品情報のリストと、この確定指示の入力時刻を表す時刻情報とを関連付けたリストデータを生成するリスト生成手段と、
を備え、
前記リスト生成手段は、前記確定指示の入力前に、前記受付手段により特定の商品情報の削除を指示する削除指示の入力が受け付けられると、当該削除指示により削除が指示された商品情報を前記リストから除外することを特徴とする情報処理装置。
【請求項３】
前記リストデータを、自己の装置又は外部装置が具備する記憶装置の所定の領域に格納する格納手段を更に備えたことを特徴とする請求項２に記載の情報処理装置。
【請求項４】
１又は複数の各商品に関する商品情報のリストと時刻情報とを関連付けた一の取引分のリストデータを格納する格納手段と、
前記リストデータに含まれる前記商品情報の各々から所定のデータ項目を収集し、このリストデータに含まれる時刻情報と関連付けたレポートデータを生成するレポート生成手段と、
を備えたことを特徴とする情報処理装置。
【請求項５】
前記レポート生成手段は、前記格納手段に格納されたリストデータ毎に前記レポートデータを生成することを特徴とする請求項４に記載の情報処理装置。
【発明の詳細な説明】
【技術分野】
【０００１】
本発明は、ＲＦＩＤタグに保持されたＥＰＣを管理する情報処理システム及び情報処理装置に関する。
【背景技術】
【０００２】
従来、店舗等では商品にＲＦＩＤタグ（無線タグ、ＩＣタグ等ともいう）を付加し、この無線タグが保持する商品情報（ＥＰＣ：Electronic Product Code）に基づいて商品を管理することが行われている。また、ＲＦＩＤタグに関しては、ＥＰＣｇｌｏｂａｌにより技術の標準化が行われており、非特許文献１にその詳細な仕様が規定されている。
【０００３】
ところで、ＥＰＣｇｌｏｂａｌで規格化された“ＡＬＥ（Application  Layer  Event）”、“ＥＰＣＩＳ（Electronic  Product Code  Information  Services）”を、ＲＦＩＤタグをＰＯＳ（Point  Of  Service）端末でのチェックアウトに使用する場合、以下のような動作となる。
【０００４】
まず、ＰＯＳ端末で読み取られたＥＰＣは一定時間毎にまとめられレポート出力される。このレポートには、ＰＯＳ端末で読み取られたＥＰＣのリストと、そのレポートが発行された時刻とが記録される。また、ＡＬＥは、出力されたレポートにＥＰＣに固有のステータス（ここでは、“ＰＯＳ精算”とする）を付加し、ＥＰＣＩＳに蓄積する。ＰＯＳ端末では、ＡＬＥから出力されるレポートを受け取るか、又は、ＥＰＣＩＳに蓄積されたデータを特定のステータス“ＰＯＳ精算”や時刻をもとに参照することで、ＲＦＩＤタグから読み取ったＥＰＣを画面上に表示する。
【発明の概要】
【発明が解決しようとする課題】
【０００５】
しかしながら、上記構成では一度読み込んだＥＰＣを取り消すことができないため、誤ったデータがレポートとして出力されてしまう可能性がある。例えば、ＰＯＳ精算の場合、間違ってＰＯＳ端末周辺に存在する商品のＲＦＩＤタグを読み込んでしまった場合や、顧客からの要求で一部商品の取り消しをした場合等、実際には含める必要のないデータがレポート出力されてしまう。この場合、ＥＰＣＩＳに蓄積されたデータを削除又はステータスを元に戻す（例えば、誤読で「ＰＯＳ精算」とステータスが変更されてしまったデータを、「店頭在庫」に戻すなど）操作が必要となるが、その操作は繁雑となるため利便性に欠ける。
【０００６】
また、ＡＬＥからのレポート生成タイミングによっては、１取引分のデータが複数のレポートに分割された状態で生成される可能性がある。例えば、４つの商品Ａ，Ｂ，Ｃ及びＤを一人の顧客が購入する際、最初に商品Ａ及びＢのＲＦＩＤタグからＥＰＣが読み取られ、時刻Ｔ１に商品Ａ及びＢについてのＥＰＣが読み取られたという内容のレポートが生成され、続いて商品Ｃ及びＤのＲＦＩＤタグからＥＰＣが読み取られ、時刻Ｔ２に商品Ｃ及びＤについてのＥＰＣが読み取られたという内容のレポートが生成されたとする。この場合、ＰＯＳ端末側のアプリケーションでは、読み取りを開始した時刻Ｔ１移行から現在までに読み取ったＥＰＣまでを１取引として管理するのに対し、ＥＰＣＩＣ上に蓄積されるレポートは、異なる時刻での取引の記録として管理される。そのため、ＥＰＣＩＣに蓄積される情報だけではＰＯＳ端末での取引単位を把握することはできず、取引を単位としたデータ分析を精度よく行うことができないという問題がある。
【０００７】
本発明は上記に鑑みてなされたものであって、ＥＰＣｇｌｏｂａｌ規格に準拠し、且つ、一の取引を処理単位として取り扱うことが可能な情報処理システム及び情報処理装置を提供することを目的とする。
【課題を解決するための手段】
【０００８】
上述した課題を解決し、目的を達成するために、本発明は、商品に付加されたＲＦＩＤタグから当該商品に関する商品情報を読み取る読取手段と、指示入力を受け付ける受付手段と、前記受付手段により一の取引の完了を指示する確定指示の入力が受け付けられると、当該確定指示の入力までに前記読取手段で読み取られた前記商品情報のリストと、この確定指示の入力時刻を表す時刻情報とを関連付けたリストデータを生成するリスト生成手段と、前記リストデータに含まれる前記商品情報の各々から所定のデータ項目を収集し、このリストデータに含まれる時刻情報と関連付けたレポートデータを生成するレポート生成手段と、を備え、前記リスト生成手段は、前記確定指示の入力前に、前記受付手段により特定の商品情報の削除を指示する削除指示の入力が受け付けられると、当該削除指示により削除が指示された商品情報を前記リストから除外することを特徴とする。
【０００９】
また、本発明は、商品に付加されたＲＦＩＤタグから当該商品に関する商品情報を読み取る読取手段と、指示入力を受け付ける受付手段と、前記受付手段により一の取引の完了を指示する確定指示の入力が受け付けられると、当該確定指示の入力までに前記読取手段で読み取られた前記商品情報のリストと、この確定指示の入力時刻を表す時刻情報とを関連付けたリストデータを生成するリスト生成手段と、を備え、前記リスト生成手段は、前記確定指示の入力前に、前記受付手段により特定の商品情報の削除を指示する削除指示の入力が受け付けられると、当該削除指示により削除が指示された商品情報を前記リストから除外することを特徴とする。
【００１０】
また、本発明は、１又は複数の各商品に関する商品情報のリストと時刻情報とを関連付けた一の取引分のリストデータを格納する格納手段と、前記リストデータに含まれる前記商品情報の各々から所定のデータ項目を収集し、このリストデータに含まれる時刻情報と関連付けたレポートデータを生成するレポート生成手段と、を備えたことを特徴とする。
【発明の効果】
【００１１】
本発明によれば、ＥＰＣｇｌｏｂａｌ規格に準拠し、且つ、一の取引を処理単位として取り扱うことが可能な情報処理システム及び情報処理装置を提供することができる。
【図面の簡単な説明】
【００１２】
【図１】図１は、本発明の実施の一形態に係るＥＰＣ管理システムの全体構成を概略的に示した図である。
【図２】図２は、図１に示したＰＯＳ端末の構成を概略的に示した外観斜視図である。
【図３】図３は、図１に示したＰＯＳ端末の電装系の構成を示したブロック図である。
【図４】図４は、コンピュータのモジュール構成を示した図である。
【図５】図５は、図１に示したＰＯＳ端末、ＡＬＥサーバ及びＥＰＣＩＳサーバが備える各機能部を示した図である。
【図６】図６は、図１に示したＰＯＳ端末、ＡＬＥサーバ及びＥＰＣＩＳサーバの動作を示したフローチャートである。
【発明を実施するための形態】
【００１３】
以下、添付図面を参照して、本発明に係る情報処理装置及びプログラムの最良な実施形態を詳細に説明する。なお、以下に説明する実施形態によりこの発明が限定されるものではない。
【００１４】
図１は、本発明の実施の一形態に係るＥＰＣ管理システムの全体構成を概略的に示した図である。本実施形態のＥＰＣ管理システムは、店舗内で販売される各商品に対して、その商品に関する商品情報（ＥＰＣ）を保持したＲＦＩＤタグを付加し、このＥＰＣに基づいて商品の在庫管理や売上管理を行う店舗で利用されるものである。
【００１５】
図１に示したように、ＥＰＣ管理システムは、複数台のＰＯＳ端末１０と、ＡＬＥサーバ２０と、ＥＰＣＩＳサーバ３０とを有し、各機器はＬＡＮ等のネットワークＮを介して通信可能に接続されている。
【００１６】
ＰＯＳ端末１０は、精算場所に配設されてキャッシャが売上処理を行うための端末であり、図２に示すような構成とされている。ここで、図２は、ＰＯＳ端末１０の構成を概略的に示した外観斜視図である。ＰＯＳ端末１０には、本体１１の上面側にキーボード１２（受付手段）が設けられており、本体１１の下部側にドロワ１３が引出自在に設けられており、本体１１の奥側に表示器１４が設けられている。
【００１７】
さらに、ＰＯＳ端末１０には、商品に付加されたＲＦＩＤタグの読み取りを行うＲＦＩＤリーダ１５が接続されており、当該ＲＦＩＤリーダによりＲＦＩＤタグから読み取られたＥＰＣがＰＯＳ端末１０に入力されるよう構成されている。
【００１８】
このようなＰＯＳ端末１０の電装系は図３に示すように構成されている。ここで、図３はＰＯＳ端末１０の電装系の構成を示したブロック図である。ＰＯＳ端末１０は、ＣＰＵ（Central  Processing  Unit）、当該ＣＰＵとの協働により後述する各機能部を実現するための各種プラグラムを格納するＲＯＭ（Read  Only  Memory）、ＲＡＭ（Random  Access  Memory）等で構成されるコンピュータ構成の制御部１６、ネットワークＮを介してＡＬＥサーバ２０及びＥＰＣＩＳサーバ３０との間の通信を制御する通信制御部１７を備えるとともに、上述したキーボード１２、表示器１４及びＲＦＩＤリーダ１５を備え、各部はバス１８を介して接続されている。
【００１９】
ＡＬＥサーバ２０は、ＰＯＳ端末１０によりＲＦＩＤタグから読み取られたＥＰＣと、この読み取りが行われた時間とを関連付けたレポートを生成するサーバ装置である。また、ＥＰＣＩＳサーバ３０は、ＡＬＥサーバ２０で生成されたレポートを蓄積・管理するサーバ装置である。
【００２０】
ところで、上述したＡＬＥサーバ２０及びＥＰＣＩＳサーバ３０は、一般的なコンピュータである。図４は、コンピュータのモジュール構成を示した図である。ＡＬＥサーバ２０及びＥＰＣＩＳサーバ３０であるコンピュータは、ＣＰＵ、ＲＯＭ、ＲＡＭ等で構成されるコンピュータ構成の制御部２１、処理経過や結果等を表示するＣＲＴ（Cathode  Ray  Tube）やＬＣＤ（Liquid  Crystal  Display）等の表示部２２、操作者が制御部２１に命令や情報等を入力するためのキーボードやマウス等の入力部２３、データベースとして機能するとともに各種のプログラムを記憶するＨＤＤ（Hard  Disk  Drive）等の記憶部２４、ネットワークＮを介して他の機器と通信により情報を伝達するための通信制御部２５等から構成されており、これらの各部がバス２６により接続されている。
【００２１】
このようなコンピュータでは、オペレータが電源を投入するとＣＰＵがＲＯＭ内のローダーというプログラムを起動させ、記憶部２４よりＯＳ（Operating  System）というコンピュータのハードウェアとソフトウェアとを管理するプログラムをＲＡＭに読み込み、このＯＳを起動させる。このようなＯＳは、オペレータの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。なお、アプリケーションプログラムは、所定のＯＳ上で動作するものに限らず、後述の各種処理の一部の実行をＯＳに肩代わりさせるものであってもよいし、所定のアプリケーションソフトやＯＳなどを構成する一群のプログラムファイルの一部として含まれているものであってもよい。
【００２２】
パーソナルコンピュータは、ＯＳ上で動作するアプリケーションプログラムが起動すると、このアプリケーションプログラムに従い、制御部２１が各種の演算処理を実行して各部を統括的に制御する。すなわち、記憶部２４に記憶されているアプリケーションプログラムの違いによって、コンピュータは、ＡＬＥサーバ２０及びＥＰＣＩＳサーバ３０として夫々機能する。
【００２３】
次に、図５を参照して、ＥＰＣシステムを構成する各装置の機能部について説明する。ここで、図５は、ＰＯＳ端末１０、ＡＬＥサーバ２０及びＥＰＣＩＳサーバ３０が備える各機能部を示した図である。
【００２４】
ＰＯＳ端末１０は、上述した制御部１６とＲＯＭ等に予め記憶されたプログラムとの協働により実現される機能部として、ＲＦＩＤリーダ制御部１０１と、ＥＰＣリスト生成部１０２とを備える。
【００２５】
ＲＦＩＤリーダ制御部１０１は、ＲＦＩＤリーダ１５の動作を制御するためのミドルウェアにより実現され、ＲＦＩＤリーダ１５を制御することで、ＲＦＩＤタグからＥＰＣの読み取りを行い、表示器１４に表示する。ＲＦＩＤリーダ制御部１０１を実現するミドルウェアとしては、例えば、ＯＰＯＳ（流通業界標準規格）等で規格化されたＲＦＩＤミドルウェアを用いることができる。
【００２６】
ＥＰＣリスト生成部１０２は、ＲＦＩＤリーダ制御部１０１で読み取られたＥＰＣをＲＡＭに一時記憶し、キーボード１２を介して入力される指示に応じて、ＥＰＣの削除や後述する確定ＥＰＣリストデータの生成を行う。
【００２７】
具体的に、ＥＰＣリスト生成部１０２は、ＲＡＭにＥＰＣを一時記憶した状態において、キーボード１２から特定のＥＰＣの削除を指示したキーの入力を受け付けると、指示された特定のＥＰＣをＲＡＭの一時記憶対から削除する。
【００２８】
例えば、ＲＦＩＤリーダ制御部１０１により４つのＲＦＩＤタグから、ＥＰＣ１，ＥＰＣ２，ＥＰＣ３及びＥＰＣ４が夫々読み取られたとする。このうちＥＰＣ４が誤読だった場合、キャッシャはキーボード１２を介してＥＰＣ４の削除を指示すると、ＥＰＣリスト生成部１０２により、ＥＰＣ４が一時記憶対象から削除される。なお、このとき、表示器１４を制御し、ＥＰＣ４の表示を消去することとしてもよい。
【００２９】
また、ＥＰＣリスト生成部１０２は、キーボード１２から一の取引を完了させ、取引金額等の取引データを確定する確定指示を入力する特定のキー（以下、現計キー（取引確定指示）という）の入力を受け付けると、一時記憶したＥＰＣのリストと、現在の日時を表す日時情報とを関連付けたデータ（以下、確定ＥＰＣリストデータという）を生成し、ＲＡＭをクリアする。ここで、ＥＰＣリスト生成部１０２は、生成する確定ＥＰＣリストデータのファイル名を「ＰＯＳ登録＿YYMMDDhhmmss.rep（YYMMDDhhmmssは現在の年月日時分秒を表す）」とすることで、ＥＰＣのリストと現在日時との関連付けを行うものとする。なお“ＰＯＳ登録”は、登録操作を識別するための識別子となっており、他の操作の場合にはその操作内容を指示する識別子が付与されるものとする。
【００３０】
例えば、現計キーの入力を受け付けた日時が、２００８／１／１、９：００：００であったとすると、ＰＯＳ登録＿20080101090000.repをファイル名とした確定ＥＰＣリストデータが、ＥＰＣリスト生成部１０２により生成されることになる。なお、ＥＰＣのリストに対する現在日時の関連付け方法は、この例に限らず、例えば、確定ＥＰＣリストデータに現在日時を記録する形態としてもよい。また、日時情報は、ＲＴＣ（Real  Time  Clock）等の図示しない計時手段から取得されるものとする。
【００３１】
さらに、ＥＰＣリスト生成部１０２は、生成した確定ＥＰＣリストデータを、ネットワークＮを介して、ＡＬＥサーバ２０の確定ＥＰＣリストデータ格納フォルダＦに格納する。ここで、「確定ＥＰＣリストデータ格納フォルダＦ」とは、ＡＬＥサーバ２０の記憶部２４に設けられた確定ＥＰＣリストデータ格納用のフォルダであって、予め設けられているものとする。なお、確定ＥＰＣリストデータの格納方法は、特に問わず、ＡＬＥサーバ２０で実行されるＯＳのフォルダ共有機能を利用する形態としてよいし、ソケット通信やＦＴＰ（File  Transfer  Protocol）等を用いて転送する形態としてもよい。
【００３２】
このように、ＥＰＣリスト生成部１０２では、現計キーの入力に対応して一の取引を単位とした確定ＥＰＣリストデータを生成するため、現計キーの入力前に、誤ってＲＦＩＤタグを読み込んでしまった場合や、顧客からの要求で一部商品の取り消し処理を行うような場合であっても、これらのＥＰＣを削除した確定ＥＰＣリストデータを生成することができる。
【００３３】
次に、ＡＬＥサーバ２０の機能構成について説明する。ＡＬＥサーバ２０は、自己のコンピュータが備える制御部２１と、記憶部２４に記憶されたプログラムとの協働により実現される機能部として、ＡＬＥ処理部２０１を備える。
【００３４】
ＡＬＥ処理部２０１は、ＥＣＳｐｅｃに従ってレポートを生成し、ＥＰＣＩＳサーバ３０へと送信するミドルウェアにより実現される機能部である。
【００３５】
ここで、「ＥＣＳｐｅｃ」は、ＥＰＣに含まれる各データをどのように収集するかを定義したものである。ＡＬＥ処理部２０１は、このＥＣＳｐｅｃに定義されたデータ収集規則に従って、確定ＥＰＣリストデータに含まれるＥＰＣからデータを収集し、収集したデータを、ＥＰＣｇｌｏｂａｌで定義されたＥＣＲｅｐｏｒｔ形式で記述したレポートを生成する。
【００３６】
また、ＥＣＳｐｅｃは、ロジカルリーダと呼ばれる読取対象とするリーダ装置の情報が含まれる。ＥＰＣｇｌｏｂａｌで規格化されたＡＬＥでは、このロジカルリーダに定義されたリーダ（ＲＦＩＤミドルウェア）からＥＰＣを読み込み、レポートを出力するよう実装されている。この場合、リーダから一定時間内に入力されたＥＰＣに基づきレポートが生成されることになるため、レポート生成タイミングによっては、１取引分のデータが複数のレポートに分割された状態で生成されという問題がある。
【００３７】
そこで、本実施形態のＡＬＥ処理部２０１では、ロジカルリーダに特定の値が設定されているときに、確定ＥＰＣリストデータ格納フォルダＦに格納された確定ＥＰＣリストデータからＥＰＣを読み出し、あたかもリーダ装置から読み取ったかのように仮想化して、ＥＰＣＩＳサーバ３０へレポートを出力するよう機能の拡張が行われている。即ち、確定ＥＰＣリストデータは、１取引単位で生成されているため、１取引分のデータが複数のレポートに分割されてしまうことを防止することが可能である。
【００３８】
具体的に、ＡＬＥ処理部２０１は、ＥＣＳｐｅｃに従って、確定ＥＰＣリストデータ格納フォルダＦに格納された確定ＥＰＣリストデータ毎にレポートを生成し、ＥＰＣＩＳサーバ３０へ送信する。なお、本実施形態では、ＥＰＣが読み取られた時間をレポートに記録するため、確定ＥＰＣリストデータのファイル名に埋め込まれた日時情報（YYYYMMDDhhmmss）をレポート名としたレポートを生成するものとするが、これに限らず、各ＰＯＳ端末１０を識別可能な識別子をファイル名に埋め込む形態としてもよいし、レポート中に日時情報を記述する形態としてもよい。また、レポートが生成された確定ＥＰＣリストデータについては、ＡＬＥ処理部２０１の制御により、確定ＥＰＣリストデータ格納フォルダＦから削除又は他のフォルダ等へ移動されるものとする。
【００３９】
このように、ＡＬＥサーバ２０では、ＥＰＣｇｌｏｂａｌ標準のＡＬＥの機能を活用しながら、誤読データ等の不要なデータが取り除かれた１取引毎のレポートを生成する。
【００４０】
次に、ＥＰＣＩＳサーバ３０の機能構成について説明する。ＥＰＣＩＳサーバ３０は、自己のコンピュータが備える制御部２１と、記憶部２４に記憶されたプログラムとの協働により実現される機能部として、記憶制御部３０１を備える。
【００４１】
記憶制御部３０１は、ＥＰＣｇｌｏｂａｌで規格化されたＥＰＣＩＳ  Ｃａｐｔｕｒｉｎｇ  Ａｐｐｌｉｃａｔｉｏｎに相当し、ＡＬＥサーバ２０から送信されるレポートを、ＥＰＣＩＳサーバ３０が備える記憶部２４の所定の領域（ＥＰＳＩＳ  Ｒｅｐｏｓｉｔｏｒｙ）に蓄積する。
【００４２】
以下、図６を参照して、上述したＥＰＣに係るＥＰＣシステムの動作について説明する。ここで、図６は、ＰＯＳ端末１０、ＡＬＥサーバ２０及びＥＰＣＩＳサーバ３０の動作を示したフローチャートである。
【００４３】
まず、ＰＯＳ端末１０では、ＥＰＣリスト生成部１０２が、ＲＦＩＤタグからＥＰＣが読み取られるまで待機する（ステップＳ１１；Ｎｏ→ステップＳ１３；Ｎｏ）。ここで、
ＲＦＩＤリーダ制御部１０１の制御によりＲＦＩＤタグから読み取られたＥＰＣが入力されると（ステップＳ１１；Ｙｅｓ）、ＥＰＣリスト生成部１０２は、このＥＰＣをＲＡＭに一時記憶する（ステップＳ１２）。
【００４４】
次いで、ＥＰＣリスト生成部１０２は、キーボード１２の操作が検出されたか否かを判定し、キー入力を検知できない場合には(ステップＳ１３；Ｎｏ)、ステップＳ１１に再び戻る。
【００４５】
また、ＥＰＣリスト生成部１０２は、キーボード１２を介して特定のＥＰＣの削除が指示されたと判定した場合（ステップＳ１３；Ｙｅｓ→ステップＳ１４；Ｙｅｓ）、一時記憶したＥＰＣの中から削除が指示されたＥＰＣを削除し（ステップＳ１５）、ステップＳ１１に再び戻る。
【００４６】
また、ＥＰＣリスト生成部１０２は、キーボード１２から現計キーが入力されたと判定すると（ステップＳ１３；Ｙｅｓ→ステップＳ１４；Ｎｏ→ステップＳ１６；Ｙｅｓ）、一時記憶したＥＰＣのリストと、現在日時とを関連付けた確定ＥＰＣリストデータを生成する（ステップＳ１７）。次いで、ＥＰＣリスト生成部１０２は、ステップＳ１７で生成した確定ＥＰＣリストデータを、ＡＬＥサーバ２０の確定ＥＰＣリストデータ格納フォルダＦに格納した後（ステップＳ１８）、一時記憶したＥＰＣをクリアする(ステップＳ１９)。これにより、１取引分の確定ＥＰＣリストデータが生成される。なお、キーボード１２のキー操作として、ＥＰＣの削除及び現計キー以外のキーが入力された場合には(ステップＳ１３；Ｙｅｓ→ステップＳ１４；Ｎｏ→ステップＳ１６；Ｎｏ)、ステップＳ１１に再び戻るものとする。
【００４７】
一方、ＡＬＥサーバ２０では、ＡＬＥ処理部２０１が、確定ＥＰＣリストデータ格納フォルダＦを常時又は所定期間毎に監視する（ステップＳ２０；Ｎｏ）。ここで、ＡＬＥ処理部２０１は、確定ＥＰＣリストデータ格納フォルダＦに確定ＥＰＣリストデータが格納されていると判定すると(ステップＳ２０；Ｙｅｓ)、ＥＣＳｐｅｃに従って、確定ＥＰＣリストデータ毎にレポートを生成し(ステップＳ２１)、ＥＰＣＩＳサーバ３０へ送信する(ステップＳ２２)。また、ＡＬＥ処理部２０１は、レポートを生成し終えると、確定ＥＰＣリストデータ格納フォルダＦに格納された確定ＥＰＣリストデータを削除又は他のフォルダに移動させ（ステップＳ２３）、処理を終了する。
【００４８】
ＥＰＣＩＳサーバ３０では、ＡＬＥサーバ２０からレポートを受信すると、記憶制御部３０１が、このレポートを自己の装置が備える記憶部２４の所定の領域（ＥＰＳＩＳ  Ｒｅｐｏｓｉｔｏｒｙ）に蓄積し（ステップＳ２４）、処理を終了する。
【００４９】
このように、本実施形態によれば、現計キーの入力に応じて１取引分のＥＰＣをリスト化した確定ＥＰＣリストデータを生成し、この確定ＥＰＣリストデータに基づいてレポートを生成することで、１取引分のレポートをＥＰＣＩＳサーバ３０に蓄積する。これにより、ＥＰＣｇｌｏｂａｌ規格に準拠し、且つ、一の取引を処理単位として取り扱うことが可能なレポートを効率的に生成することができる。
【００５０】
また、ＲＦＩＤリーダ制御部１０１として、ＯＰＯＳ等の非ＥＰＣＧｌｏｂａｌ規格のＲＦＩＤタグミドルウェアを用いた場合であっても、ＡＬＥ処理部２０１により、ＥＣＲｅｐｏｒｔ形式に準拠したレポートを生成することができるため、ＥＰＣｇｌｏｂａｌ規格に準拠したＥＰＣＩＳにレポートを蓄積することが可能である。
【００５１】
以上、発明の実施の形態について説明したが、本発明はこれに限定されるものではなく、本発明の主旨を逸脱しない範囲での種々の変更、置換、追加等が可能である。
【００５２】
例えば、上記実施形態では、ＡＬＥサーバ２０がＡＬＥ処理部２０１を備える形態としたが、ＰＯＳ端末１０がＡＬＥ処理部２０１の機能を備える形態としてもよい。なお、確定ＥＰＣリストデータ格納フォルダＦは、ＰＯＳ端末１０に付加した記憶装置（ＨＤＤ等）内に設けられる形態としてもよいし、他の装置が備える記憶装置内に設けられる形態としてもよい。
【００５３】
また、ＰＯＳ端末１０内に確定ＥＰＣリストデータ格納フォルダＦを設け、ＡＬＥサーバ２０のＡＬＥ処理部２０１が、各ＰＯＳ端末１０の確定ＥＰＣリストデータ格納フォルダＦを参照する形態としてもよい。
【産業上の利用可能性】
【００５４】
以上のように、本発明にかかる情報処理システム及び情報処理装置は、ＲＦＩＤタグに保持された商品情報（ＥＰＣ）に基づいて商品管理を行うのに有用であり、特に、ＥＰＣｇｌｏｂａｌ規格に準じたＡＬＥ、ＥＰＣＩＳを用いる場合に適している。
【符号の説明】
【００５５】
１０  ＰＯＳ端末
１１  本体
１２  キーボード
１３  ドロワ
１４  表示器
１５  ＲＦＩＤリーダ
１６  制御部
１７  通信制御部
１８  バス
２０  ＡＬＥサーバ
３０  ＥＰＣＩＳサーバ
２１  制御部
２２  表示部
２３  入力部
２４  記憶部
２５  通信制御部
２６  バス
１０１  ＲＦＩＤリーダ制御部
１０２  ＥＰＣリスト生成部
２０１  ＡＬＥ処理部
３０１  記憶制御部
【先行技術文献】
【特許文献】
【００５６】
【非特許文献１】EPCglobal  The  Application  Level  Events  （ALE）  Specification  Version  1.0  page.8
【図１】
2010224719.tif 000003
【図２】
2010224719.tif 000004
【図３】
2010224719.tif 000005
【図４】
2010224719.tif 000006
【図５】
2010224719.tif 000007
【図６】
2010224719.tif 000008